(57)【要約】【課題】衛生面を確保した、プルトップを備えたプルタブ付容器を提供する。【解決手段】本体１は筒状で、飲料物を入れることが可能となっている。この本体1の上面には、プルタブ２と溝４が形成されている。プルトップ２とプルタブ３は、一部において結合されている。プルトップ２には、溝４に対して移動可能に結合された移動用部材６が設けられている。移動用部材６は、溝４に沿って移動させることによりプルタブを移動させることが可能となっている。【選択図】図１
2008189349.tif 000002
【特許請求の範囲】
【請求項１】
物質を入れることが可能なプルタブを備えた本体と、プルトップとを有する容器であって、
前記プルタブは上部から圧力をかけた時に本体より切り離すことが可能であり、
前記プルタブと前記プルトップとは、一部において結合しており、
前記プルトップと、前記プルタブを除く本体部分とは一部において結合されており、
前記プルトップは前記本体に沿って移動可能であることを特徴としたプルトップを備えたプルタブ付容器。
【請求項２】
前記本体は溝を有するとともに、前記プルトップは前記溝に対して移動可能に連結された移動用部材を有しており、
かつ前記移動用部材を前記溝に沿って移動させることが可能であることを特徴とする請求項１記載のプルトップを備えたプルタブ付容器。
【請求項３】
前記本体は移動用部材を有するとともに、前記プルトップは前記移動用部材に対して移動可能に連結された開口部を有しており、
かつ前記開口部に沿って前記プルトップを移動用部材に対して移動させることにより前記プルタブを移動させることが可能であることを特徴とする請求項１記載のプルトップを備えたプルタブ付容器。
【請求項４】
前記プルトップは、前記プルタブより大きいことを特徴とする請求項１から３のいずれかに記載のプルトップを備えたプルタブ付容器。
【請求項５】
前記プルトップは、前記プルタブ側に向かって突出した突出部を有することを特徴とする請求項１から４のいずれかに記載のプルトップを備えたプルタブ付容器。
【請求項６】
前記溝には、側面から突出したストッパーが設けられていることを特徴とする請求項２、４、５に記載のプルトップを備えたプルタブ付容器。
【請求項７】
前記開口部には、側面から突出したストッパーが設けられていることを特徴とする請求項３から５に記載のプルトップを備えたプルタブ付容器。
【請求項８】
前記プルタブは、前記本体から突出していることを特徴とする請求項１から７のいずれかに記載のプルトップを備えたプルタブ付容器。
【発明の詳細な説明】
【技術分野】
【０００１】
本発明は、物質の品質劣化防止、衛生の確保および容易な運搬に不可欠な、プルタブ付容器に関するものである。
【背景技術】
【０００２】
従来の缶は、現在のごみ問題やリサイクルが容易に出来るように缶本体とプルタブ、プルトップは一体化している。しかし、缶自体は流通過程や販売過程において、外部に常に触れていて決して衛生的とはいえない状態にある。この缶を従来の方法で開けたときには、切り取られたプルタブが缶内部に沈み込み、結果飲料水に入り込み品質の劣化、衛生面に問題があった。
【０００３】
この改善策として特許文献１のように、缶上部に保護シートを熱処理して収縮させ密着させることにより、缶の汚れを防止する方法がある。このほかに同様の方法で、飲み口の一部を保護するもの等いろいろ発明されている。確かにこの方法によると、プルタブが飲料水に触れても品質の劣化、衛生上問題はない。しかし、剥離の作業とごみの分別上保護シートを別に処分しなければならず新たな問題が残る。また、コストの面でもかかり過ぎる欠点がある。
【０００４】
また特許文献２のように、缶上部にカバーを付けそのカバー自体がプルトップになっているものがある。このほかにカバーのみを付ける等同様の方法が発明されている。確かにこの方法によると、プルタブが飲料水に触れても品質の劣化、衛生上問題はない。しかし、この場合においても、缶本体とカバーが分離し処理に手間が掛かる。また一部が密着している場合は、カバー自体が大きいために使用しずらい欠点がある。さらにコスト面でもかかり過ぎる欠点もある。  
【０００５】
また特許文献３のように、プルタブ裏に注ぎ口を設けてあり、プルトップを引くと出てくる仕組みとなっている。この仕組みは、飲料水をグラスに注ぐ場合は便利であるが、そのまま口を付けて飲む場合は、プルトップ自体が口にはいるので衛生面の欠点や口を傷つける危険性がある。  
【０００６】
また特許文献４のように、開けたプルトップおよびプルタブを回転させ反対側に移動させ、飲料水に浸さない方法がある。しかし、この場合開けたプルタブは上部へ曲がっており、さらに缶上部にそのまま露出されているので、手を傷つけたり口を付けて飲んだ場合には口を傷つける危険性がる。
【特許文献１】特開２００５−１７０３９８号公報
【特許文献２】特開２００４−１８８３号公報
【特許文献３】特開平１１−２６８７３９号公報
【特許文献４】実開平６−２５１２９号公報
【発明の開示】
【発明が解決しようとする課題】
【０００７】
解決しようとする問題点は、１つ目はプルタブが容器内の物質に触れてしまうことによる品質の劣化、衛生上の問題。２つ目はごみの分別、リサイクルがし難い問題。３つ目はプルタブ、プルトップにより手や口を傷つける危険性の問題。４つ目はコストの問題である。
【０００８】
本発明は、上記問題点を全て解決するとともに、今までの容器をあける手間と変わらずに品質の劣化防止、衛生面に考慮した、リサイクルしやすくごみの分別を必要としない、安全性の高いプルタブ付容器を低コストで提供することである。
【課題を解決するための手段】
【０００９】
本発明のプルトップを備えたプルタブ付容器は、物質を入れることが可能なプルタブを備えた本体と、プルトップとを有する容器であって、前記プルタブは上部から圧力をかけた時に本体より切り離すことが可能であり、前記プルタブと前記プルトップとは、一部において結合しており、前記プルトップと、前記プルタブを除く本体部分とは一部において結合されており、前記プルトップは前記本体に沿って移動可能としたものである。
【００１０】
この発明では、プルトップに上部から圧力をかけると、プルタブは本体より切り離される。次にプルトップを本体に沿って移動させると、プルトップとプルタブは一部で結合されているので一緒に移動する。その結果プルタブは本体内部に沿って移動するので、本体内部の物質に接触することなく物質を外部へ出すことができる。
【発明の効果】
【００１１】
プルトップとプルタブは一部で結合させ、プルトップを本体に沿って移動可能にするようにしたので、プルタブと物質の接触を防ぐことができ、より衛生面を確保することができる。
【００１２】
また、プルトップの大きさをプルタブの大きさよりも大きくするようにすれば、より安全面を確保することができる。
【００１３】
また、プルトップにプルタブ側に向かって突出した突出部を設けるようにすれば、より容易にプルタブを本体から切り離すことができる。
【００１４】
さらに、ストッパーを設けてプルトップを移動した後に本体に固定することができるようにすれば、プルトップが逆戻りする事を防ぐことができる。
【００１５】
そして、プルタブを本体から突出させるようにすれば、より容易にプルタブを本体から切り離すことができる。
【発明を実施するための最良の形態】
【００１６】
以下に本発明にかかるプルトップを備えたプルタブ付容器の具体的な実施の形態例について、図面に基づき詳細に説明する。
【００１７】
（第１の実施の形態）
図１は本発明の第１の実施の形態に係るプルトップを備えたプルタブ付容器の全体を示す図であり、図２はプルトップ２を取り除いた図である。このプルトップを備えたプルタブ付容器は、例えば筒状の本体１と、本体１の上面に配置されたプルトップ２とを備えている。本体１の内部には飲料水などの物質を入れることが可能な密閉された収納部が形成されている。本体１の上面にはプルタブ３が形成され、さらにプルタブ３を除く部分に溝４が形成されている。プルタブ３の周りには例えば切り込みが入っており、上部から圧力をかけた時に本体１より切り離すことが可能となっている。なお、プルタブ３は本体１の上面から突出するように形成されていることが好ましい。プルタブ３をより容易に本体１から切り離すことができるからである。
【００１８】
プルタブ３の上方にはプルトップ２が配置され、プルトップ２の一部とプルタブ３の一部とは結合部分５において結合されている。プルトップ２の大きさは、上方から見たときにプルトップ２の外周部がプルタブ３の外周部よりも大きくなるように形成されていることが好ましい。衛生面および安全性を向上させることができるからである。また、プルトップ２には溝４に対して移動可能に結合された移動用部材６が設けられており、移動用部材６を溝４に沿って移動させることにより、プルトップ２を本体１の表面に沿って移動させることができるようになっている。
【００１９】
図３は、図１のＡＢ線に沿って切ったときの断面図である。溝４の上部には例えば庇状に突出された係止部４ａが形成され、溝４の上部の幅は下部よりも狭くなっている。移動用部材６はプルトップ２から溝４に向かって棒状に突出して形成されており、先端には例えば係止部４ａに引っ掛るように拡張された嵌合部６ａが形成されている。これにより、移動用部材６は溝４から抜けずに溝４に対して移動可能に結合されている。
【００２０】
図４は、図１のＣＤ線に沿って切ったときの断面図であり、飲料水が入った状態を示す図である。プルトップ２にはプルタブ３の側に向かって突出した突出部８が形成されていることが好ましく、この突起部８はプルタブ３の一部と接している。
【００２１】
図５から図７は、プルタブ３を開けて飲むまでの工程を示す図である。まず、図５のようにプルトップ２の上部からプルタブ３に向かって押して、本体１からプルタブ３を切り離す。このとき、プルトップ２に突出部８が設けられていれば、上部からの圧力を突出部８に集中させることができ、より簡単にプルタブ３を本体１より切り離すことができる。また、プルタブ３よりプルトップ２の大きさが大きく形成されていれば、過度にプルタブ３が本体１の内部に沈み込むことを防ぎ、さらに本体１の表面の切り口に指が接することなく安全にプルタブ３を本体１から切り離すことができる。
【００２２】
次に、図６のようにプルトップ２を本体１の溝４に沿って移動させる。このとき、プルトップ２とプルタブ３の一部が結合されているので、プルトップ２とともにプルタブ３が移動し、プルタブ３は本体１の内側に移動する。
【００２３】
そののち、図７のように飲料水を飲むためにプルトップを備えたプルタブ付容器をかたむけると、飲料水がプルタブ３に接することなく飲むことができる。これによって衛生面が確保される。
【００２４】
なお、図８のように溝４に、両側または片側から突出したストッパー９を設け、移動用部材６が移動したのちに固定されるようにしてもよい。なお、図８はストッパー９が溝４の両側から突出している図である。
【００２５】
また、本体１は、筒状に限らずほかの形状であってもよい。さらに本体１は、缶であってもよく、他の容器であってもよい。さらに、本体１には、液体の飲料物に限らず、固形物を含むものであってもよい。加えて、移動用部材６の嵌合部は、例えば溝を設けることにより係止部４ａに引っ掛るように構成されていてもよい。
【００２６】
（第２の実施の形態）
図９と図１０は本発明の第２の実施の形態を示す図である。図９は本発明のプルトップを備えたプルタブ付容器の変形例を示す図であり、図１０はプルトップを備えたプルタブ付容器からプルトップ１２を取り除いた図である。このプルトップを備えたプルタブ付容器は、第１の実施の形態と同様に、例えば筒状の本体１１と、本体１１の上面に配置されたプルトップ１２とを備え、本体１１の内部には飲料水などの物質を入れることが可能な密閉された収納部が構成されている。本体１１の上面にはプルタブ１３が形成されている。プルタブ１３の構成は第１の実施の形態と同様である。プルタブ１３の上方にはプルトップ１２が配置されており、プルトップ１２には細長い開口部１４が形成されている。また、プルトップ１２の一部とプルタブ１３の一部とは結合部分１５において結合されている。
【００２７】
また、本体１１には移動用部材１６が形成されており、この移動用部材１６には開口部１４が移動可能に結合されている。これによりプルトップ１２は移動用部材１６に対して開口部１４に沿って本体１１の表面を移動できるようになっている。移動用部材１６の先端には例えば開口部１４が抜けないように拡張された係止部１６ａが形成されている。なお、プルトップ１２の大きさは、第１の実施の形態と同様に、プルタブ１３よりも大きく形成されていることが好ましい。
【００２８】
図１１は、図９のＥＦ線に沿って切ったときの断面図であり、飲料水が入った状態を示す図である。プルトップ１２には第１の実施の形態と同様にプルタブ１３の側に向かって突出した突出部１８が形成されていることが好ましく、突出部１８はプルタブ１３の一部と接している。
【００２９】
図１２から図１４は、プルタブ１３を開けて飲むまでの工程を示す図である。まず、図１２のようにプルトップ１２の上部からプルタブ１３に向かって押して、本体１１からプルタブ１３を切り離す。このとき、プルトップ１２に突出部１８が設けられていれば、上部からの圧力を突出部１８に集中させることができ、より簡単にプルタブ１３を本体１１より切り離すことができる。また、プルタブ１３よりプルトップ１２の大きさが大きく形成されていれば、過度にプルタブ１３が本体１１の内部に沈み込むことを防ぎ、さらに本体１１の表面の切り口に指が接することなく安全にプルタブ１３を本体１１から切り離すことができる。
【００３０】
次に、図１３のようにプルトップ１２を開口部１４に沿って移動させる。このとき、プルトップ１２とプルタブ１３の一部が結合されているので、プルトップ１２とともにプルタブ１３が移動し、プルタブ１３は本体１１の内側に移動する。
【００３１】
そののち、図１４のように飲料水を飲むためにプルトップを備えたプルタブ付容器をかたむけると、飲料水がプルタブ１３に接することなく飲むことができる。これによって衛生面が確保される。
【００３２】
なお、図１５のように開口部１４に、両側または片側から突出したストッパー１９を設け、移動用部材１６が移動したのちに固定されるようにしてもよい。なお、図１５はストッパー１９が開口部１４の両側から突出している図である。
【００３３】
また、本体１１は、筒状に限らずほかの形状であってもよい。さらに本体１１は、缶であってもよく、他の容器であってもよい。さらに本体１１には、液体の飲料物に限らず、固形物を含むものであってもよい。加えて、移動用部材１６の係止部１６ａは、例えば溝を設けることにより開口部１４が抜けないように構成されていてもよい。
【図面の簡単な説明】
【００３４】
【図１】本発明の一実施形態のプルトップを備えたプルタブ付容器の全体を示す斜視図。
【図２】本発明の一実施形態のプルトップを備えたプルタブ付容器からプルトップを取り除いた部分のみを示す斜視図。
【図３】図１のＡＢ線に沿って切ったときの断面図。
【図４】図１のＣＤ線に沿って切ったときの断面図。
【図５】図１のプルタブを切り離した時の工程を示す断面図。
【図６】図１のプルタブを移動した時の工程を示す断面図。
【図７】図１のプルトップを備えたプルタブ付容器を傾けたときの図。
【図８】図１のプルトップを備えたプルタブ付容器からプルトップを取り除いた部分のみを示す図。
【図９】本発明の他の実施形態のプルトップを備えたプルタブ付容器の全体を示す斜視図。
【図１０】本発明の他の実施形態のプルトップを備えたプルタブ付容器からプルトップを取り除いたときの容器上部を示す図。
【図１１】図９のＥＦ線に沿って切ったときの断面図。
【図１２】図９のプルタブを切り離した時の工程を示す断面図。
【図１３】図９のプルタブを移動した時の工程を示す断面図。
【図１４】図９のプルトップを備えたプルタブ付容器を傾けたときの図。
【図１５】図９のプルトップを備えたプルタブ付容器上部を示す図。
【符号の説明】
【００３５】
１  本体
２  プルトップ
３  プルタブ
４  溝
4a  係止部
５  結合部分
６  移動用部材
6a  嵌合部
７  飲料水
８  突出部
９  ストッパー
11  本体
12  プルトップ
13  プルタブ
14  開口部
15  結合部分
16  移動用部材
16a  係止部
17  飲料水
18  突出部
19  ストッパー
【図１】
2008189349.tif 000003
【図２】
2008189349.tif 000004
【図３】
2008189349.tif 000005
【図４】
2008189349.tif 000006
【図５】
2008189349.tif 000007
【図６】
2008189349.tif 000008
【図７】
2008189349.tif 000009
【図８】
2008189349.tif 000010
【図９】
2008189349.tif 000011
【図１０】
2008189349.tif 000012
【図１１】
2008189349.tif 000013
【図１２】
2008189349.tif 000014
【図１３】
2008189349.tif 000015
【図１４】
2008189349.tif 000016
【図１５】
2008189349.tif 000017
【手続補正書】
【提出日】平成19年6月23日(2007.6.23)
【手続補正１】
【補正対象書類名】特許請求の範囲
【補正対象項目名】全文
【補正方法】変更
【補正の内容】
【特許請求の範囲】
【請求項１】
物質を入れることが可能なプルタブを備えた本体と、プルトップとを有する容器であって、
前記プルタブは上部から圧力をかけた時に本体より切り離すことが可能であり、
前記プルタブと前記プルトップとは、一部において結合しており、
前記本体は前記プルタブを除く部分に溝を有し、この溝の上部には庇状に突出した係止部が形成され、
前記プルトップは前記溝に対して移動可能に連結された移動用部材を有し、この移動用部材は前記プルトップから前記溝に向かって棒状に突出して形成されると共に、先端には前記係止部に引っ掛るように拡張された嵌合部が形成され、前記移動用部材を前記溝に沿って移動させることにより前記プルトップは前記本体に沿って移動可能である
ことを特徴としたプルトップを備えたプルタブ付容器。
【請求項２】
前記プルトップは、前記プルタブより大きいことを特徴とする請求項１記載のプルトップを備えたプルタブ付容器。
【請求項３】
前記プルトップは、前記プルタブ側に向かって突出した突出部を有することを特徴とする請求項１または２に記載のプルトップを備えたプルタブ付容器。
【請求項４】
前記溝には延長方向の途中に側面から突出したストッパーが設けられ、前記移動用部材は移動したのちに本体に固定されることを特徴とする請求項１から３のいずれかに記載のプルトップを備えたプルタブ付容器。
【請求項５】
前記プルタブは、前記本体から突出していることを特徴とする請求項１から４のいずれかに記載のプルトップを備えたプルタブ付容器。
【手続補正２】
【補正対象書類名】明細書
【補正対象項目名】０００９
【補正方法】変更
【補正の内容】
【０００９】  本発明のプルトップを備えたプルタブ付容器は、物質を入れることが可能なプルタブを備えた本体と、プルトップとを有する容器であって、前記プルタブは上部から圧力をかけた時に本体より切り離すことが可能であり、前記プルタブと前記プルトップとは、一部において結合しており、前記本体は前記プルタブを除く部分に溝を有し、この溝の上部には庇状に突出した係止部が形成され、前記プルトップは前記溝に対して移動可能に連結された移動用部材を有し、この移動用部材は前記プルトップから前記溝に向かって棒状に突出して形成されると共に、先端には前記係止部に引っ掛るように拡張された嵌合部が形成され、前記移動用部材を前記溝に沿って移動させることにより前記プルトップは前記本体に沿って移動可能としたものである。